(57)【要約】【課題】芳香と共に音楽（好ましくはリラクゼーション音楽等）を楽しむことができると共に、薬液保持体の薬液成分が記録媒体や制御基板等へ付着してしまうことを防止でき、さらに、薬液保持体や記録媒体等を簡易に交換できる小型でかつ簡易な構造の芳香器を提供する。【解決手段】本芳香器１は、ケース２内に、芳香発生手段Ａ及び音発生手段Ｂを備えてなる芳香器であって、ケースは、芳香発生手段及び音発生手段を並列状に収容し且つ薬液保持体８及び記録媒体（ＣＤ１３）の夫々を露出させる開口部２０を有するケース本体３と、開口部を開閉するようにケース本体に支持される蓋部材４と、を備え、ケースの閉鎖状態で、蓋部材とケース本体との間に、薬液保持体を収容する保持体収容室４８と記録媒体を収容する媒体収容室（ＣＤ収容室４７）とを互いに隔離して形成するようにした。【選択図】  図３
2004243035.tif 000002
【特許請求の範囲】
【請求項１】
ケース内に、芳香発生手段及び音発生手段を備えてなる芳香器において、
前記ケースは、前記芳香発生手段及び前記音発生手段を並列状に収容し且つ該芳香発生手段の薬液保持体及び該音発生手段の記録媒体の夫々を露出させる開口部を有するケース本体と、前記開口部を開閉するように前記ケース本体に支持される蓋部材と、を備え、
前記蓋部材により前記ケース本体の前記開口部を閉鎖した状態で、該蓋部材と該ケース本体との間に、前記薬液保持体を収容する保持体収容室と前記記録媒体を収容する媒体収容室とを互いに隔離して形成するようにしたことを特徴とする芳香器。
【請求項２】
前記芳香発生手段が、電動ファンと、該電動ファンの前方に設けられる支持部と、該支持部に着脱自在に支持される前記薬液保持体と、を有し、前記ケース本体に、前記音発生手段の駆動を制御する制御基板を収容する基板収容室と、該基板収容室に隣接し且つ前記電動ファンを収容するファン収容室とを設けると共に、前記基板収容室と前記ファン収容室とを連通させる請求項１記載の芳香器。
【請求項３】
前記音発生手段が、前記記録媒体を着脱自在に支持するピックアップ機構を有し、該ピックアップ機構が前記基板収容室に収容される請求項２記載の芳香器。
【請求項４】
前記基板収容室と前記ファン収容室とを区画する区画壁に連通孔を設け、該連通孔を介して前記基板収容室と前記ファン収容室とを連通させる請求項２又は３に記載の芳香器。
【請求項５】
前記ケース本体には、前記薬液保持体及び前記記録媒体の間に仕切り壁（２８）を設けると共に、前記蓋部材には、前記仕切り壁と対応する裏面側に仕切り壁（４５）を設け、前記蓋部材により前記ケース本体の前記開口部を閉鎖した状態で、夫々の前記仕切り壁を壁面方向にオーバーラップさせるようにした請求項１乃至４のいずれか一項に記載の芳香器。
【請求項６】
前記芳香発生手段の駆動を報知する報知手段を備える請求項１乃至５のいずれか一項に記載の芳香器。
【請求項７】
所定の停止条件を契機として前記芳香発生手段の駆動を停止させる駆動停止手段を備える請求項１乃至６のいずれか一項に記載の芳香器。
【発明の詳細な説明】
【０００１】
【発明の属する技術分野】
本発明は芳香器に関し、更に詳しくは、芳香と共に音楽を楽しむことができると共に、薬液保持体の薬液成分が記録媒体や制御基板等へ付着してしまうことを防止でき、さらに、薬液保持体や記録媒体等を簡易に交換できる小型でかつ簡易な構造の芳香器に関する。
【０００２】
【従来の技術】
近年、緊張を和らげてリラックスするため、或いは気分転換や集中力を増すために、芳香を楽しむことは広く行われている。そして、リラクゼーション効果・リフレッシュ効果をより引き出すために、芳香と共に音楽を楽しむことができる芳香器が提案されている。このような芳香器として、ケース内に、芳香発生手段及び音発生手段を備えてなるものが知られている（例えば、特許文献１及び２参照。）。
【０００３】
【特許文献１】
特開昭６１−５３９２４号公報
【特許文献２】
特開平１１−１３７６５９号公報
【０００４】
【発明が解決しようとする課題】
しかし、上記特許文献１では、ケース内の１つの収容室内に、薬液保持体（容器６）、記録媒体（マイクロプロセッサ１４）、及び制御基板（擬音信号発生装置４）を収容しているので、芳香器の使用時又は未使用時であっても収容室内が薬液保持体から揮発する薬液成分で満たされ、その薬液成分が記録媒体や制御基板等に付着して、それらに様々な障害をもたらせてしまう問題があり、実用的なものではなかった。
また、上記特許文献２では、ケースに、薬液保持体（芳香パック３）及び記録媒体（メモリＩＣ９）を収納したカセット５０を出し入れ自在に挿入嵌合している。従って、薬液保持体や記録媒体等を取り替える際に、ケースからカセット５０を抜き取った後、そのカセット５０の蓋５６を開放させて薬液保持体や記録媒体を取り出す必要があり、その交換作業が極めて煩雑なものであった。
さらに、上述の芳香器では、旅行先、オフィス、車内等へ気軽に携帯できるように小型でかつ簡易な構造であって必要十分な芳香の拡散能力を備えるものが望まれている。
【０００５】
以上より本発明は、上記現状に鑑みてなされたものであり、芳香と共に音楽を楽しむことができると共に、薬液保持体の薬液成分が記録媒体や制御基板等へ付着してしまうことを防止でき、さらに、薬液保持体や記録媒体等を簡易に交換できる小型でかつ簡易な構造の芳香器を提供することを目的とする。さらに、本発明は、上記目的に加えて、芳香をより効率良く拡散することができる芳香器を提供することを他の目的とする。
【０００６】
【課題を解決するための手段】
本発明の芳香器は、ケース内に、芳香発生手段及び音発生手段を備えてなる芳香器において、前記ケースは、前記芳香発生手段及び前記音発生手段を並列状に収容し且つ該芳香発生手段の薬液保持体及び該音発生手段の記録媒体の夫々を露出させる開口部を有するケース本体と、前記開口部を開閉するように前記ケース本体に支持される蓋部材と、を備え、前記蓋部材により前記ケース本体の前記開口部を閉鎖した状態で、該蓋部材と該ケース本体との間に、前記薬液保持体を収容する保持体収容室と前記記録媒体を収容する媒体収容室とを互いに隔離して形成するようにしたことを特徴とする。
【０００７】
また、前記芳香発生手段が、電動ファンと、該電動ファンの前方に設けられる支持部と、該支持部に着脱自在に支持される前記薬液保持体と、を有し、前記ケース本体に、前記音発生手段の駆動を制御する制御基板を収容する基板収容室と、該基板収容室に隣接し且つ前記電動ファンを収容するファン収容室とを設けると共に、前記基板収容室と前記ファン収容室とを連通させることができる。
また、前記音発生手段が、前記記録媒体を着脱自在に支持するピックアップ機構を有し、該ピックアップ機構が前記基板収容室に収容されることができる。
また、前記基板収容室と前記ファン収容室とを区画する区画壁に連通孔を設け、該連通孔を介して前記基板収容室と前記ファン収容室とを連通させることができる。
また、前記ケース本体には、前記薬液保持体及び前記記録媒体の間に仕切り壁を設けると共に、前記蓋部材には、前記仕切り壁と対応する裏面側に仕切り壁を設け、前記蓋部材により前記ケース本体の前記開口部を閉鎖した状態で、夫々の前記仕切り壁を壁面方向にオーバーラップさせるように構成できる。
また、前記芳香発生手段の駆動を報知する報知手段を備えることができる。
さらに、所定の停止条件を契機として前記芳香発生手段の駆動を停止させる駆動停止手段を備えることができる。
【０００８】
【発明の効果】
本発明の芳香器によると、芳香発生手段による芳香と共に、音発生手段による音（音楽等）を利用者が楽しむことができ、リラクゼーション効果・リフレッシュ効果をより好適に引き出すことができる。
また、蓋部材によりケース本体の開口部を開放すると、薬液保持体及び記録媒体が並列状に露出されるので、薬液保持体に簡易に薬液を滴下したり、薬液保持体及び記録媒体を簡易に交換して、新たな芳香や音楽を楽しむことができる。
さらに、蓋部材によりケース本体の開口部を閉鎖すると、保持体収容室と媒体収容室とが互いに隔離されるので、薬液保持体の薬液成分が記録媒体へ付着してしまうことを防止できる。また薬液保持体からの薬液成分の無駄な揮発を抑制できる。
【０００９】
また、前記芳香発生手段が、電動ファンと、該電動ファンの前方に設けられる支持部と、該支持部に着脱自在に支持される前記薬液保持体と、を有し、前記ケース本体に、前記音発生手段の駆動を制御する制御基板を収容する基板収容室と、該基板収容室に隣接し且つ前記電動ファンを収容するファン収容室とを設けると共に、前記基板収容室と前記ファン収容室とを連通させる場合は、音発生手段の駆動の際に、制御基板からの熱が基板収容室からファン収容室へ導かれ、電動ファンによる送風作用により薬液保持体が暖められ、より効率良く芳香を拡散することができる。また、基板収納室内に熱がこもらず制御基板の冷却効果を果たすことができる。
また、前記音発生手段が、前記記録媒体を着脱自在に支持するピックアップ機構を有し、該ピックアップ機構が前記基板収容室に収容される場合は、基板収容室内に制御基板と共にピックアップ機構を収容でき、より小型でかつ簡易な構造の芳香器を提供できる。
また、前記基板収容室と前記ファン収容室とを区画する区画壁に連通孔を設け、該連通孔を介して前記基板収容室と前記ファン収容室とを連通させる場合は、より効率良く基板収容室内の熱をファン収納室へ導くことができる。
また、前記ケース本体には、前記薬液保持体及び前記記録媒体の間に仕切り壁を設けると共に、前記蓋部材には、前記仕切り壁と対応する裏面側に仕切り壁を設け、前記蓋部材により前記ケース本体の前記開口部を閉鎖した状態で、夫々の前記仕切り壁を壁面方向にオーバーラップさせるように構成する場合は、蓋部材によりケース本体の開口部を閉鎖すると、ケース本体側仕切り壁と蓋部材側仕切り壁が壁面方向に重なり合うことによって、保持体収納室と媒体収納室とをより確実に隔離できる。
また、前記芳香発生手段の駆動を報知する報知手段を備える場合は、利用者が芳香発生手段の駆動状態を容易に確認できる。
さらに、所定の停止条件を契機として前記芳香発生手段の駆動を停止させる駆動停止手段を備える場合は、芳香発生手段のけし忘れ等を防止できる。
【００１０】
【発明の実施の形態】
（芳香器）
本実施形態に係る芳香器は、ケース内に芳香発生手段及び音発生手段を備えて構成される。この芳香器としては、例えば、携帯式タイプ、卓上置きタイプ、壁掛けタイプ等を挙げることができる。また、この芳香器は、例えば、ストラップ、ベルト、フック、吸着部等の付属部品を備えることができる。これにより、携帯性や机、壁等に対する設置性をより向上させることができる。さらに、風呂回り等で使用できるといった観点から、防水タイプであることが好ましい。
【００１１】
上記「芳香発生手段」は、薬液保持体を備えると共に芳香を発生し得る限り、その構造、芳香形態等は特に問わない。この芳香発生手段は、例えば、加熱源の加熱作用によって薬液保持体から芳香を拡散させるものであることができる。より効率良く芳香を拡散できるといった観点から、この芳香発生手段は、例えば、電動ファンと、この電動ファンの前方に設けられる支持部と、この支持部に着脱自在に支持される薬液保持体とを有し、電動ファンの送風作用によって薬液保持体より芳香を拡散させるものであることが好ましい。この場合、上記電動ファンが、中心体と、この中心体の周縁に設けられる羽根と、この中心体及び羽根を回転させて羽根により前面側へ送風を行うモータとを備えると共に、薬液保持体が、その大部分を電動ファンによる送風に直接晒されることがない位置に設けられることが好ましい。これにより、電動ファンによる送風が直接的に薬液保持体に当たらず、薬液成分の無駄な揮発を抑制して芳香を長時間にわたって持続的に発散させることができる。
【００１２】
上記「薬液保持体」の材質、形状、大きさ等は特に問わない。この薬液保持体は、例えば、精油（エッセンシャルオイル）、香水、オキシフル、無臭性薬液等の機能液を吸収するパルプ製、不織布製、織布製、スポンジ製等の機能液吸収体であることができる。また、上記薬液保持体は、例えば、トルマリン粉末や固形芳香剤等の機能物質を予め含有（又は付着）したる不織布製、織布製、スポンジ製等の機能物質含有体であることができる。また、この薬液保持体は、例えば、上記機能物質自身であることができる。また、この薬液保持体は、例えば、上記機能液や上記機能物質を収容する皿状、つぼ状、網状等の収容体であることができる。
【００１３】
尚、上記機能液吸収体は、例えば、機能液の揮発性等を向上させ得る切り込みや貫通孔等の揮発性向上手段を有することができる。また、上記機能液としては、例えば、液状物質自身であったり、抽出液等の液状組成物であったり、固体状又は液体状を問わずこれを適当な溶媒体で溶解させて得た溶解液であったりできる。また、上記機能液又は機能物質は、主に、心身へ各種作用をもたらすものである。この機能液又は機能物質の他の作用としては、例えば、皮膚への各種作用、細菌やウイルス、虫などに対する各種作用等のうち１つ又は２以上を組み合わせてなる作用などを挙げることができる。
上記心身への各種作用としては、例えば、鎮静作用（心や身体の働きをリラックスさせる。）、鎮痛作用（各種痛みを和らげる。）、消化・食欲増進作用（胃腸の働きをよくする。）、ホルモン調節作用（ホルモンの分泌を調整する。）、刺激作用（心や身体の活動を刺激し高める。）、強壮作用（身体を活性化し強化させる。）、免疫賦活作用（免疫の働きを強め活性化する。）、利尿作用等を挙げることができる。また、皮膚への各種作用としては、例えば、収れん作用（皮膚を引き締める。）、保湿作用（皮膚に潤いを与え乾燥を防ぐ。）等を挙げることができる。さらに、細菌やウイルス、虫などに対する各種作用としては、例えば、殺菌作用（バクテリアなどの菌を殺す。精油としてはティートリー等）、抗菌作用（細菌の増殖を抑える。精油としてはレモングラス等）、抗真菌作用（カビの増殖を抑える。精油としてはレモングラス等）、抗ウイルス作用（ウイルスの増殖を抑える。精油としてはティートリー、ユーカリ、ペパーミント、カモミール等）、殺虫・虫除け作用（虫を殺したり除いたりする。精油としてはシトロネラ等）等を挙げることができる。
また、上記精油としては、例えば、ペパーミント、ローズマリー、ユーカリ、レモン、バジル、タイム、ニアウリ、セージ、レモングラス、クラリセージ、オレンジ、パルマローズ、バーベナ、シトロネラ、シナモン、マンダリン、パイン、ローズウッド、ベルガモット、イラン・イラン、ゼラニウム、シダーウッド、ティートリー、ローズ、バチュリー、サイブレス、ジェニパー、ジャスミン、フィンネル、フランキンセンス、ラベンダー、グレープフルーツ、カモマイル、マージョラム、サンダルウッド、ネロリ等を挙げることができる。特に、風邪や花粉症等に有効な精油としては、例えば、ユーカリ（抗ウイルス、殺菌、消炎、鎮痛作用等を有する。）、ペパーミント（心身への冷却作用や刺激作用等を有する。）、ティートリー（殺菌、消毒、ウイルス・真菌・細菌・感染症等の緩和作用等を有する。）、レモン（リフレッシュ作用等を有する。）、オレンジ・スイート（心身のリラックス作用等を有する。）、ラベンダー（鎮静、鎮痛、消毒・殺菌、抗ウイルス作用等を有する。）、カモミール・ローマン（リラックス、ホルモン調整作用等を有する。）などを挙げることができる。
さらに、本芳香器は、例えば、個人用として使用したり、業務用として使用したりできる。この個人用の使用形態としては、例えば、就寝前、休息時等に気分転換、リラックスなどするために使用したり、仕事・勉強等の気分転換や集中力を向上させるために使用したりできる。また、業務用の使用形態としては、例えば、アロマ専門ショップ、教室等においてトレーナーにより実施されるアロマトリートメント、カウンセリング、マッサージ等で使用できる。
【００１４】
上記「音発生手段」は、音（音楽等）を発生し得る限り、その構造、音発生形態等は特に問わない。この音発生手段は、例えば、記録媒体を着脱自在に支持するピックアップ機構を有することができる。このピックアップ機構は、例えば、記録媒体を回転させつつ光学的にデータを読み取る機構であることができる。また、このピックアップ機構は、例えば、弾性手段を介してケース本体に支持されることができる。
上記「記録媒体」は、音データを記録した媒体である限り、その構造、形状、材質等は特に問わない。この記録媒体としては、例えば、ＣＤ（コンパクトディスク）、ＭＤ（ミニディスク）、ＤＶＤ（デジタルバーサトルディスク）、メモリカード、磁気テープ等を挙げることができる。また、音データの種類としては、例えば、水、川、海、鳥、虫、自然環境等の音（リラクゼーション音楽；好ましくは、市販のリラクゼーションＣＤ）、クラシック、ジャズ、ロック、歌謡曲等を挙げることができる。
【００１５】
上記「ケース」は、ケース本体及びこのケース本体の開口部を開閉し得る蓋部材を備える限り、その構造、形状、大きさ等は特に問わない。このケースとしては、例えば、合成樹脂製、ガラス製、陶器製、及び金属製のケースを挙げることができる。これらのうち、携帯性の観点から、合成樹脂製であることが好ましい。また、デザイン性等の観点から、透明合成樹脂製であったり、すりガラス様加工が施された合成樹脂製であったりすることが好ましい。さらに、ハンドリング性等の観点から、このケースが、滑らから曲線からなる扁平状（特に好ましくは、円盤状）に形成されることが好ましい。
【００１６】
上記「ケース本体」は、開口部を有し且つ上述の芳香発生手段及び音発生手段を並列状に収容し得る限り、その構造、形状、材質等は特に問わない。このケース本体は、例えば、上方を開放した箱形状に形成されていることができる。また、このケース本体は、例えば、音発生手段の駆動を制御する制御基板を収容する基板収容室を有することができる。また、このケース本体は、例えば、上記電動ファンを収容するファン収容室を有することができる。さらに、上記基板収容室及びファン収容室を区画する区画壁に連通孔を設け、基板収容室及びファン収容室を互いに連通させることができる。これにより、制御基板で発生する熱が基板収容室からファン収容室へ導かれる。その結果、電動ファンからの熱風により薬液保持体が暖められ、より効率良く芳香を拡散することができる。
【００１７】
上記「蓋部材」は、上記ケース本体にその開口部を開閉するように支持される限り、その構造、形状、材質等は特に問わない。この蓋部材は、例えば、ケース本体にスライド移動自在に支持されたり、旋回移動自在に支持されたりできる。開閉性等の観点から、この蓋部材が、ケース本体に揺動自在に支持されていることが好ましい。
ここで、この蓋部材により上記ケース本体の開口部を閉鎖した状態、即ち、ケースの閉鎖状態で、蓋部材とケース本体との間には、上記薬液保持体を収容する保持体収容室と上記記録媒体を収容する媒体収容室とが隣接して隔離形成される。この保持体収容室及び媒体収容室の形状、大きさ等は特に問わない。この保持体収容室は、例えば、上記ファン収容室の前方（上方）に設けられると共に、この媒体収容室が上記基板収容室の前方（上方）に設けられることができる。より簡易な構造で且つ確実に隔離し得るといった観点から、上記ケース本体に上方に向って立ち上がる仕切り壁を設けると共に、上記蓋部材に裏側より立ち上がる仕切り壁を設け、ケースの閉鎖状態で、これら一対の仕切り壁が互いに上下方向にオーバーラップして接触し、保持体収容室と媒体収容室とが隔離されることが好ましい。さらに、例えば、上記ケース本体及び／又は蓋部材に、ケースの閉鎖状態で、相手側の仕切り壁と係止してケース本体及び蓋部材の水平方向の位置決めを行う位置決め部を設けることができる。
【００１８】
尚、上記ケース本体及び／又は蓋部材には、例えば、各種ボタン（再生、送り、戻し、芳香ボタン等）、ボリュームダイヤル（音量調整ダイヤル等）、電源プラグ挿入口、ヘッドホンプラグ挿入口、各種情報表示部（液晶表示部等）、後述の報知手段等を設けることができる。また、上記芳香器は、例えば、芳香発生手段（例えば、電動ファン等）及び／又は音発生手段（例えば、ピックアップ機構等）の駆動状態を報知する報知手段（例えば、ＬＥＤランプ、液晶表示部等）を備えることができる。また、この芳香器は、所定の停止条件（例えば、所定時間の経過等）を契機として芳香発生手段（好ましくは電動ファン）の駆動を停止させる駆動停止手段（例えば、駆動停止回路等）を備えることができる。さらに、この芳香器は、例えば、蓋部材の開放状態を検知する検知手段（例えば、位置センサ、当接スイッチ等）と、この検知手段の検知信号に基づいて芳香発生手段（例えば、電動ファン等）及び／又は音発生手段（例えば、ピックアップ機構等）の駆動を停止させる駆動停止手段（例えば、駆動停止回路等）と、を備えることができる。
さらに、芳香発生手段及び音発生手段は、例えば、夫々が独立して制御されることができる。これにより、より簡易な制御プログラムでもって芳香器を構成できる。また、芳香発生手段及び音発生手段は、例えば、所定の関係をもって制御されることができる。即ち、音発生手段の駆動のＯＮ・ＯＦＦによって芳香発生手段の電動ファンがＯＮ・ＯＦＦされるように構成したり、音発生手段の音量調整に基づいて芳香発生手段の電動ファンの回転数が変動されるように構成したりできる。
【００１９】
【実施例】
次に、図１〜５を参照して本発明を実施例により具体的に説明する。
（１）芳香器の構成
本実施例に係る芳香器１は、図１〜３に示すように、ケース本体３と蓋部材４とからなる薄肉円盤状のケース２内に、芳香発生手段Ａ及び音発生手段Ｂを備えて構成されている。
【００２０】
上記芳香発生手段Ａは、電動ファン６と、この電動ファン６の前方に設けられる筒状の支持枠体７と、この支持枠体７に着脱自在に支持されるパルプ製で平板状の薬液保持体８と、を備えて構成されている。この電動ファン６は、中心体９と、この中心体９の周縁に設けられる羽根１０と、この中心体９及び羽根１０を回転させて羽根１０により前面側へ送風を行う駆動モータ１１とを有している。この中心体９の上端面は、支持枠体７の支持領域の大部分を含む水平面域を含む大きさに設定されている。従って、支持枠体７に支持された薬液保持体８は、その大部分を電動ファン６による送風に直接晒されることがない位置に設けられることとなる。
【００２１】
上記音発生手段Ｂは、コンパクトディスク１３（以下、単にＣＤ１３とも略記する。）を着脱自在に支持する支持部１５を有するピックアップ機構１４を備えている。このピックアップ機構１４は、周知のように、支持部１５と共にＣＤ１３を回転させ、この回転するＣＤ１３から音情報を光学的に読み取って音楽を再生し得るようになっている。また、このピックアップ機構１４は、弾性変形可能な支持機構１６を介してケース本体３内に支持されている。これにより、支持部１５へのＣＤ１３の着脱を簡易に実施できる。
【００２２】
上記ケース本体３は、下側ケース本体１８と上側ケース本体１９とをネジ止めして構成され、上方を開放した開口部２０を有している。また、このケース本体３には、ファン収容室２１及び基板収容室２２が水平方向に沿って併設されている。このファン収容室内２１には上記電動ファン６が収容されている。また、この基板収容室２２内には、上記ピックアップ機構１４と共に、このピックアップ機構１４及び電動ファン６の駆動を制御する制御基板２３が収容されている。また、この基板収容室２２とファン収容室２１とを区画する区画壁２５には、両室２２，２１を連通する複数の連通孔２６が形成されている。また、下側ケース本体１９には、電動ファン６と対応する位置にファン収容室２１内に空気を取り入れるための複数の吸気口２７が形成されている。また、上側ケース本体１８の上面側には、平面からみて電動ファン６を囲むように、上方に向って立ち上がる半円環状の仕切り壁２８が形成されている。
【００２３】
また、このケース本体３の手前側（図１で下方側）には、左右一対のスピーカ３０，３０が収容設置されると共に、各種操作ボタン及び芳香報知用のＬＥＤランプ３１（報知手段として例示する。）が配設されている。これらスピーカ３０，３０、各種操作ボタン、ＬＥＤランプ３１等は、制御基板２３に配線接続されている。また、各種操作ボタンとしては、蓋部材４を開放するための開放ボタン３２がある。また、ＣＤ１３を再生するための再生ボタン３３、停止するための停止ボタン３４、次に録音されている曲を選曲するための送りボタン３５、演奏済みの曲を選曲するための戻しボタン３６等がある。更に、電動ファン６を駆動・停止するための芳香ボタン３７がある。この芳香ボタン３７を一度押圧すると駆動モータ１１の運転が開始されると共にＬＥＤランプ３１が点灯し、再度押圧すると駆動モータ１１の運転が停止されると共にＬＥＤランプ３１が消灯する。また、駆動モータ１１の駆動回路にはタイマー（図示せず）が内蔵され、芳香ボタン３７を一度押してから後所定時間（例えば、６０分）経過すると、駆動モータ１１の駆動が自動的に停止するようになっている。さらに、ケース本体３内には、蓋部材４の開放状態を検知する検知センサ（図示せず）が設けられ、この検知センサの検知信号に基づいて音発生手段Ｂのピックアップ機構１４の駆動が停止されるようになっている。
【００２４】
尚、ケース本体３の側部には、図示しない音量調整用操作具、充電プラグ差込口、及びヘッドホンプラグ差込口等が配設されている。また、図３に示すように、ケース本体３の裏側には電池収容室３８が形成され、この電池収容室３８には、ピックアップ機構１４の駆動用の単２電池及び電動ファン６の駆動用の単３電池が収容されている。さらに、ケース本体３の裏面側には、机等にケース本体３を水平状態で載置するための載置部３９が設けられている。
【００２５】
また、図２及び３に示すように、上側ケース本体１８の奥側（図２で上方側）には、蓋部材４を揺動自在に支持するヒンジ機構４０が設けられている。このヒンジ機構４０を構成する戻しバネ４１（図４参照）によって、蓋部材４は常時開放方向に向って付勢されている。また、この蓋部材４には電動ファン６と対応する位置に、芳香を外部へ排気するための複数の排気口４２が形成されている。また、この蓋部材４には、図５に示すように、周縁部の裏側より立ち上がる第１仕切り壁４３が形成されている。この第１仕切り壁４３には、ケース本体３の手前側に設けられた係合具５０（図２参照。）と係脱可能な係合部４４が突出形成されている。また、この蓋部材４には、上記仕切り壁２８と対向した位置に、半円環状の第２仕切り壁４５が形成されている。さらに、この蓋部材４には、第２仕切り壁４５の内側に位置決め用の突起部４６が突出形成されている。
【００２６】
そして、蓋部材４の係合部４４とケース本体３の係合具５０との係合によって、蓋部材４によりケース本体３の開口部２０が閉鎖された状態が維持される（図１及び３参照。）。このようなケース２の閉鎖状態では、蓋部材４の第１仕切り壁４３の先端部がケース本体３の開口部２０の内側上面に当接すると共に、ケース本体３の仕切り壁２８と蓋部材４の第２仕切り壁４５とが上下方向に重なり合って互いの壁面同士が接触する。その結果、ケース本体３と蓋部材４との間には、外部から隔離されＣＤ１３を収容するＣＤ収容室４７（媒体収容室として例示する。）と、このＣＤ収容室４７から隔離され薬液保持体８を収容する保持体収容室４８とが形成される。また、ケース本体３の仕切り壁２８が、蓋部材４の第２仕切り壁４５及び突起部４６の間に嵌り込み、これによりケース本体３に対して蓋部材４が位置決めされた状態とされる。
一方、上記開放ボタン３２の押圧操作により係合具５０を変位させると、この係合具５０と係合部４４との係合が解除され、ケース本体３の開口部２０が開放される（図２参照。）。このようなケース２の開放状態では、ＣＤ１３及び薬液保持体８が外部に露出された状態とされる。
【００２７】
（２）芳香器の作用
次に、以上のように構成された芳香器１の作用について説明する。先ず、ＣＤ１３や薬液保持体８を交換等する場合には、開放ボタン３２を押圧操作して、ケース本体３の係合具５０と蓋部材４の係合部４４との係合を解除してケース２を開放状態とする（図２及び４参照。）。すると、ＣＤ１３及び薬液保持体８が外部に露出され、これらＣＤ１３や薬液保持体８を適宜好みのものに交換したり、薬液保持体８に精油を滴下したりできる。
その後、蓋部材４を閉鎖方向に押し戻して、ケース本体３の係合具５０と蓋部材４の係合部４４とを係合させてケース２を閉鎖状態とする（図１及び３参照。）。この状態より、利用者が芳香と共に音楽を楽しむ場合には、芳香ボタン３７を押圧操作して、電動ファン６の送風作用により薬液保持体８からの芳香を排気口４２より外部に拡散させると共に、再生ボタン３３等を押圧操作してピックアップ機構１４によりＣＤ１３が再生処理される。
【００２８】
（３）実施例の効果
以上より、本実施例の芳香器１では、蓋部材４によりケース２を開放状態とすると、ＣＤ１３及び薬液保持体８が外部に並列状に露出されるようにしたので、ＣＤ１３及び薬液保持体８を適宜好みのものに簡易に交換することができる。また、薬液保持体８に精油等を簡易に滴下することができる。
さらに、本実施例では、蓋部材４によりケース２を閉鎖状態とすると、ケース本体３の仕切り壁２８と蓋部材４の第２仕切り壁４５とが上下方向に重なり合って接触して、ＣＤ収容室４７と保持収容室４８とを互いに隔離させるようにしたので、薬液保持体８の芳香がＣＤ１３、ピックアップ機構１４、制御基板２３等に付着することを防止できる。また、ケース本体３の仕切り壁２８の先端側が、蓋部材４の第２仕切り壁４５及び係合突起部４６の間に嵌り込むようにしたので、ケース本体３に対する蓋部材４の正確な位置決めを行うことができる。
【００２９】
また、本実施例では、制御基板２３を収容する基板収容室２２と、電動ファンを収容するファン収容室との間の区画壁２５に連通孔２６を設けたので、制御基板２３からの放熱を連通孔２６を介してファン収容室２１に導き、電動ファン６による送風作用で薬液保持体８を暖めることができ、より効率良く芳香を拡散できる。しかも、制御基板２３の冷却効果を発揮できる。
また、本実施例では、ケース本体３に、電動ファン６の駆動を報知するＬＥＤランプ３１を設けたので、利用者が電動ファン６の駆動状態を簡易に確認することができる。
また、本実施例では、所定時間経過後に、電動ファン６の駆動を自動停止させるようにしたので、電動ファン６の消し忘れ等を防止できる。
さらに、本実施例では、蓋部材４を開放状態とするとき、ピックアップ機１４の駆動を自動停止させることができる。
【００３０】
尚、本発明においては、前記具体的な実施例に示すものに限られず、目的、用途に応じて本発明の範囲内で種々変更した実施例とすることができる。即ち、本実施例では、ケース本体３に蓋部材４を揺動自在に支持して構成したが、これに限定されず、例えば、ケース本体３に蓋部材４をスライド自在に支持して構成したり、ケース本体３に蓋部材４を旋回自在に支持して構成したりしてもよい。
さらに、本実施例では、ケース２の閉鎖状態で、ケース本体３の仕切り壁２８と蓋部材４の第２仕切り壁４５とを上下方向にオーバーラップさせるように構成したが、これに限定されず、例えば、ケース本体及び蓋部材の互いの仕切り壁の先端部を突合せさせるように構成したり、一方の仕切り壁と他方の端面とを突合せさせるように構成したりできる。
【００３１】
また、本実施例では、制御基板２３を、電動ファン６及びピックアップ機構１４の駆動を制御するものとしたが、これに限定されず、ピックアップ機構１４のみの駆動を制御するものとしてもよい。
また、本実施例では、蓋部材４に排気口４２を設けるようにしたが、これに限定されず、例えば、ケース本体３に排気口を設けるようにしてもよい。
また、本実施例では、主に芳香を楽しむ芳香器１を例示したが、これに限定されず、例えば、薬液保持体８に染み込ませたシトロネラ（精油）を拡散させて虫除け作用等を発揮させたり、薬液保持体８に染み込ませたオキシフルを拡散して殺菌作用や脱臭作用等を発揮させたりしてもよい。さらに、薬液保持体８の代わりに、トルマリン粉末を含有するシート材を用い、このシート材に水を染み込ませてマイナスイオンを発生させてリラックス作用等を発揮する拡散器などとしたりできる。
さらに、本実施例では、パルプ製の薬液保持体８を例示したが、これに限定されず、例えば、フェルト製やスポンジ製としてもよい。
【図面の簡単な説明】
【図１】本実施例に係る芳香器の平面図である。
【図２】蓋部材を開放させた状態の芳香器の平面図である。
【図３】図１のＩＩＩ−ＩＩＩ線矢視断面拡大図である。
【図４】図２のＩＶ−ＩＶ線矢視断面図である。
【図５】図４のＶ矢視図である。
【符号の説明】
１：芳香器、２：ケース、３：ケース本体、４：蓋部材、６：電動ファン、７：支持枠体、８：薬液保持体、１３：ＣＤ、２０：開口部、２２：基板収容室、２３：制御基板、２５：区画壁、２６：連通孔、２８：仕切り壁、３１；ＬＥＤランプ、４５；第２仕切り壁、４７；ＣＤ収容室、４８；保持体収容室、Ａ；芳香発生手段、Ｂ；音発生手段。
【図１】
2004243035.tif 000003
【図２】
2004243035.tif 000004
【図３】
2004243035.tif 000005
【図４】
2004243035.tif 000006
【図５】
2004243035.tif 000007